(57)【要約】【課題】単一のバックライトを備える場合であっても、映像のボヤケが生じることを低減させることができる技術を提供する。【解決手段】映像表示システムは、液晶パネル（１１２）に光を照射する、インパルス発光制御の単一のバックライト（１１１）と、液晶パネルの駆動タイミングに応じて、バックライトを発光させる発光制御部（１１３）と、液晶パネルのうちの一部を、対象範囲（２０２）として選択する選択部（１０６）とを備える。発光制御部は、対象範囲における液晶パネルの駆動が完了するタイミングに応じて、バックライトを発光させる。【選択図】図８
2019191352.tif 000002
【特許請求の範囲】
【請求項１】
液晶パネルを有する映像表示システムであり、
前記液晶パネルに光を照射する、インパルス発光制御の単一のバックライトと、
前記液晶パネルの駆動タイミングに応じて、前記バックライトを発光させる発光制御部と、
前記液晶パネルのうちの一部を、対象範囲として選択する選択部とを備え、
前記発光制御部は、前記対象範囲における前記液晶パネルの駆動が完了するタイミングに応じて、前記バックライトを発光させる、
映像表示システム。
【請求項２】
前記液晶パネルを複数の表示範囲に分割し、かつ、分割されたそれぞれの前記表示範囲における映像変化量を比較する第１の比較部をさらに備え、
前記選択部は、前記第１の比較部における比較の結果に基づいて、前記表示範囲のうちから前記対象範囲を選択する、
請求項１に記載の映像表示システム。
【請求項３】
前記選択部は、前記第１の比較部における比較の結果、前記映像変化量が最も大きい前記表示範囲を前記対象範囲として選択する、
請求項２に記載の映像表示システム。
【請求項４】
前記液晶パネルを複数の表示範囲に分割し、かつ、分割されたそれぞれの前記表示範囲における文字の数を比較する第２の比較部をさらに備え、
前記選択部は、前記第２の比較部における比較の結果に基づいて、前記表示範囲のうちから前記対象範囲を選択する、
請求項１から請求項３のうちのいずれか１項に記載の映像表示システム。
【請求項５】
前記選択部は、前記第２の比較部における比較の結果、前記文字の数が最も多い前記表示範囲を前記対象範囲として選択する、
請求項４に記載の映像表示システム。
【発明の詳細な説明】
【技術分野】
【０００１】
本願明細書に開示される技術は、たとえば、映像のボヤケが生じることを低減させる技術に関するものである。
【背景技術】
【０００２】
液晶パネルを用いる表示装置では、表示する映像情報が短時間で変化するような場合（たとえば、動きが速い動画、または、横にスクロールするような文字など）、液晶素子の応答性能の影響によって表示する映像にボヤケが生じることがある。
【０００３】
一般的に、液晶パネルを搭載する表示装置では、主に液晶パネルの上部から下部に向けて、順に液晶素子の制御が行われる。液晶素子のそれ自体は発光しないため、液晶パネルではバックライトを搭載することによって映像を表示しているが、上記の映像のボヤケは、制御に応答しきれていない（すなわち、応答が完了していない）液晶素子が表示に用いられることによって発生する。
【０００４】
映像のボヤケは、主にバックライトの発光開始のタイミングと液晶素子の制御タイミングとが一致していないために生じる現象である。そのため、使用環境または部品性能のバラつきにより映像のボヤケが生じる位置がランダムに変化してしまい、スポーツ映像などの動きが速い映像にボヤケが生じたり、横にスクロールしている文字が崩れて見えてしまったりする場合があった。
【０００５】
これに対し、このような映像のボヤケを抑える技術として、バックライト部の複数の光源ラインを制御するものが提案されている（たとえば、特許文献１を参照）。
【先行技術文献】
【特許文献】
【０００６】
【特許文献１】特開２００２−６８１５号公報
【発明の概要】
【発明が解決しようとする課題】
【０００７】
しかしながら、単一のバックライトを備える液晶パネルの場合には、上記の技術を適用することはできない。
【０００８】
本願明細書に開示される技術は、以上に記載されたような問題を解決するためになされたものであり、単一のバックライトを備える場合であっても、映像のボヤケが生じることを低減させることができる技術を提供することを目的とするものである。
【課題を解決するための手段】
【０００９】
本願明細書に開示される技術の第１の態様は、液晶パネルを有する映像表示システムであり、前記液晶パネルに光を照射する、インパルス発光制御の単一のバックライトと、前記液晶パネルの駆動タイミングに応じて、前記バックライトを発光させる発光制御部と、前記液晶パネルのうちの一部を、対象範囲として選択する選択部とを備え、前記発光制御部は、前記対象範囲における前記液晶パネルの駆動が完了するタイミングに応じて、前記バックライトを発光させる。
【発明の効果】
【００１０】
本願明細書に開示される技術の第１の態様は、液晶パネルを有する映像表示システムであり、前記液晶パネルに光を照射する、インパルス発光制御の単一のバックライトと、前記液晶パネルの駆動タイミングに応じて、前記バックライトを発光させる発光制御部と、前記液晶パネルのうちの一部を、対象範囲として選択する選択部とを備え、前記発光制御部は、前記対象範囲における前記液晶パネルの駆動が完了するタイミングに応じて、前記バックライトを発光させる。このような構成によれば、単一のバックライトを備える場合であっても、液晶パネルのうちの一部の範囲を選択して、当該範囲における液晶パネルの駆動が完了するタイミングに応じてバックライトを発光させることによって、映像のボヤケが生じることを低減させることができる。
【００１１】
本願明細書に開示される技術に関する目的と、特徴と、局面と、利点とは、以下に示される詳細な説明と添付図面とによって、さらに明白となる。
【図面の簡単な説明】
【００１２】
【図１】実施の形態に関する、映像表示システムの構成の例を概念的に示す図である。
【図２】実施の形態に関する、液晶パネルにおける映像表示範囲の具体例を示す図である。
【図３】実施の形態に関する、液晶パネルにおける映像表示範囲の具体例を示す図である。
【図４】実施の形態に関する、液晶パネルにおける映像表示範囲の具体例を示す図である。
【図５】実施の形態に関する、液晶パネルにおける映像表示範囲の具体例を示す図である。
【図６】実施の形態に関する、液晶素子の応答動作のタイミングと、それぞれの液晶素子に対応するバックライトのＯＮ／ＯＦＦ動作のタイミングとの関係を示す模式図である。
【図７】実施の形態に関する、液晶素子の応答動作のタイミングと、それぞれの液晶素子に対応するバックライトのＯＮ／ＯＦＦ動作のタイミングとの関係を示す模式図である。
【図８】液晶パネルを上段、中段および下段の三段構成に分けた場合の、映像のボヤケが生じることを低減したい映像表示範囲における液晶素子の応答動作のタイミングと、当該範囲に対応するバックライトのＯＮ／ＯＦＦ動作のタイミングとの関係を示す模式図である。
【図９】実施の形態に関する、映像表示システムの第２の動作の例を示すフローチャートである。
【図１０】図１に例示される映像表示システムを実際に運用する場合のハードウェア構成を概略的に例示する図である。
【図１１】図１に例示される映像表示システムを実際に運用する場合のハードウェア構成を概略的に例示する図である。
【発明を実施するための形態】
【００１３】
以下、添付される図面を参照しながら実施の形態について説明する。
【００１４】
なお、図面は概略的に示されるものであり、説明の便宜のため、適宜、構成の省略、または、構成の簡略化がなされるものである。また、異なる図面にそれぞれ示される構成などの大きさおよび位置の相互関係は、必ずしも正確に記載されるものではなく、適宜変更され得るものである。また、断面図ではない平面図などの図面においても、実施の形態の内容を理解することを容易にするために、ハッチングが付される場合がある。
【００１５】
また、以下に示される説明では、同様の構成要素には同じ符号を付して図示し、それらの名称と機能とについても同様のものとする。したがって、それらについての詳細な説明を、重複を避けるために省略する場合がある。
【００１６】
また、以下に記載される説明において、「上」、「下」、「左」、「右」、「側」、「底」、「表」または「裏」などの特定の位置と方向とを意味する用語が用いられる場合があっても、これらの用語は、実施の形態の内容を理解することを容易にするために便宜上用いられるものであり、実際に実施される際の方向とは関係しないものである。
【００１７】
また、以下に記載される説明において、「第１の」、または、「第２の」などの序数が用いられる場合があっても、これらの用語は、実施の形態の内容を理解することを容易にするために便宜上用いられるものであり、これらの序数によって生じ得る順序などに限定されるものではない。
【００１８】
＜実施の形態＞
以下、本実施の形態に関する映像表示システムについて説明する。
【００１９】
＜映像表示システムの構成について＞
図１は、本実施の形態に関する映像表示システムの構成の例を概念的に示す図である。本実施の形態においては、映像表示システムの例として、テレビジョン受信機およびテレビジョン受信システムが示される。しかしながら、映像表示システムとして想定される対象はこれに限られるものではなく、放送波または外部の映像信号ソースの映像音声を制御および出力する機能を有していない装置またはシステムであってもよい。ここで、映像信号ソースとは、たとえば、ブルーレイディスク（Ｂｌｕ−ｒａｙ  Ｄｉｓｃ、すなわち、ＢＤ：登録商標）プレーヤー、ｄｉｇｉｔａｌ  ｖｅｒｓａｔｉｌｅ  ｄｉｓｋ（ＤＶＤ）プレーヤー、または、ビデオカメラなどである。
【００２０】
図１に例が示されるように、映像表示システムは、映像表示制御部１００と、映像表示制御部１００に信号を入力するアンテナ１０１と、映像表示制御部１００に信号を入力する映像信号ソース１０２と、映像表示制御部１００に信号を入力するコントローラ１１５と、映像表示制御部１００から出力される映像信号およびタイミング制御信号を受信する映像表示装置１１０とを備える。
【００２１】
映像表示制御部１００は、映像信号入力部１０３と、チューナー部と復調部とを備える放送受信部１０４と、メイン制御部１０５と、タイミング処理部１０８と、映像出力部１０９とを備える。さらに、メイン制御部１０５は、映像信号解析部１０６と、映像信号処理部１０７とを備える。
【００２２】
映像表示装置１１０は、インパルス発光制御される単一のバックライト１１１と、液晶パネル１１２とを備える。バックライト１１１は、液晶パネル１１２に光を照射する。さらに、バックライト１１１は、バックライトを発光させる発光制御部１１３を備える。また、液晶パネル１１２は、液晶素子の状態を制御する液晶制御部１１４を備える。
【００２３】
映像信号入力部１０３には、映像信号ソース１０２からｈｉｇｈ  ｄｅｆｉｎｉｔｉｏｎ  ｍｕｌｔｉｍｅｄｉａ  ｉｎｔｅｒｆａｃｅ（ＨＤＭＩ：登録商標）ケーブルまたはネットワークケーブルなどを介して、映像信号が入力される。
【００２４】
映像信号入力部１０３は、入力された映像信号に信号処理を行った後、当該信号をメイン制御部１０５の映像信号解析部１０６へ送信する。
【００２５】
放送受信部１０４には、アンテナ１０１から同軸ケーブルなどを介して、デジタル放送信号を含むｒａｄｉｏ  ｆｒｅｑｕｅｎｃｙ（ＲＦ）信号が入力される。
【００２６】
放送受信部１０４では、入力されたＲＦ信号から必要な信号が抽出される。そして、放送受信部１０４は、抽出された信号をメイン制御部１０５の映像信号解析部１０６へ送信する。図１に示される例では、放送受信部１０４から出力される信号の数は１系統であるが、放送受信部１０４から出力される信号の数はこれに限定されるものではない。
【００２７】
メイン制御部１０５は、たとえば、プログラムなどを保存するメモリーと中央演算処理装置（ｃｅｎｔｒａｌ  ｐｒｏｃｅｓｓｉｎｇ  ｕｎｉｔ、すなわち、ＣＰＵ）とからなる。具体的なハード構成は、後述する。
【００２８】
メイン制御部１０５の映像信号解析部１０６では、映像信号入力部１０３から入力される信号と、放送受信部１０４から入力される信号とが解析される。そして、映像信号解析部１０６は、解析された信号を、映像信号処理部１０７へ送信する。
【００２９】
メイン制御部１０５の映像信号処理部１０７は、映像信号解析部１０６から入力された信号に各種処理を行った後、当該信号をタイミング処理部１０８および映像出力部１０９へそれぞれ送信する。
【００３０】
タイミング処理部１０８は、映像信号処理部１０７から入力された信号に対し各種処理を行い、バックライトを発光させるタイミングに関するタイミング信号を生成する。そして、タイミング処理部１０８は、当該タイミング信号を、バックライト１１１における発光制御部１１３に送信する。なお、タイミング処理部１０８には、コントローラ１１５からユーザーが設定するタイミング信号も入力される。ユーザーは、バックライト１１１を発光させるタイミングを、コントローラ１１５を用いて設定することができる。
【００３１】
映像出力部１０９は、映像信号処理部１０７から入力された信号に対し各種処理を行い、液晶素子の制御に関する制御信号を生成する。そして、映像出力部１０９は、当該制御信号を、液晶パネル１１２における液晶制御部１１４に送信する。
【００３２】
液晶制御部１１４は、制御信号に基づいて、液晶パネル１１２における液晶素子を駆動させる。また、発光制御部１１３は、液晶パネル１１２における液晶素子の駆動タイミングに応じて、バックライト１１１を発光させる。
【００３３】
＜映像表示システムの動作について＞
＜第１の動作＞
図２、図３、図４および図５は、本実施の形態に関する、液晶パネルにおける映像表示範囲の具体例を示す図である。図２、図３、図４および図５においては、液晶パネル２００の上段、中段および下段の三段構成に分けたうちから、映像のボヤケが生じることを低減したい映像表示範囲であるボヤケ低減範囲２０２を選択することが可能となっている。このとき、ボヤケ低減範囲２０２として選択されなかった範囲を、非選択範囲２０３とする。なお、液晶パネル２００を三段構成に分けてボヤケ低減範囲２０２を選択することは一例であり、液晶パネル２００においてボヤケ低減範囲２０２として選択される領域の数および大きさが、図２、図３、図４および図５に示される例に限られるものではない。
【００３４】
まず、図２では、液晶パネル２００の有効表示領域２０１の例が示される。図２における矢印は、液晶素子が順に制御される方向を示す。
【００３５】
この有効表示領域２０１を三段構成とする場合、上段の始まりの、液晶素子の走査線のラインの位置をライン位置２０４とする（具体的には、図３を参照）。また、上段と中段との間の境界の、液晶素子の走査線のラインの位置をライン位置２０５とする（具体的には、図３および図４を参照）。また、中段と下段との間の境界の、液晶素子の走査線のラインの位置をライン位置２０６とする（具体的には、図４および図５を参照）。また、下段の終わりの、液晶素子の走査線のラインの位置をライン位置２０７とする（具体的には、図５を参照）。
【００３６】
図６および図７は、本実施の形態に関する、液晶素子の応答動作のタイミングと、単一のバックライトのＯＮ／ＯＦＦ動作のタイミングとの関係を示す模式図である。このうち、図６は、液晶素子の応答が完了していないうちにバックライトが発光した場合を示す。一方で、図７は、液晶素子の応答が完了した後でバックライトが発光した場合を示す。
【００３７】
なお、図６および図７における液晶素子３００Ａは、図３、図４および図５におけるボヤケ低減範囲２０２の始まりの走査線のライン位置における液晶素子に対応し、図６および図７における液晶素子３００Ｂは、図３、図４および図５におけるボヤケ低減範囲２０２の終わりの走査線のライン位置、および、ボヤケ低減範囲２０２の終わりの走査線のライン位置における液晶素子に対応する。
【００３８】
また、図６および図７において、タイミング３０５は、液晶素子３００ＡがＯＮ／ＯＦＦ動作を開始するタイミングに対応し、タイミング３０６は、液晶素子３００ＢがＯＮ／ＯＦＦ動作を完了するタイミングに対応する。
【００３９】
図６に示される場合では、バックライトは、液晶素子３００ＡのＯＮ／ＯＦＦ動作が始まる前から発光する。そのため、液晶素子３００ＡのＯＮ／ＯＦＦ動作が完了するまでの応答期間３０３では、応答動作中の液晶素子３００Ａの映像が見えてしまうため、映像にボヤケが生じる。
【００４０】
一方で、図７に示される場合では、バックライトは、液晶素子３００ＢのＯＮ／ＯＦＦ動作が完了した後から発光する。そのため、応答動作中の液晶素子３００Ａおよび液晶素子３００Ｂの映像が見えることがないため、映像にボヤケが生じることを低減させることができる。
【００４１】
図８は、液晶パネルを上段、中段および下段の三段構成に分けた場合の、映像のボヤケが生じることを低減したい映像表示範囲における液晶素子の応答動作のタイミングと、単一のバックライトのＯＮ／ＯＦＦ動作のタイミングとの関係を示す模式図である。
【００４２】
図８において、有効表示領域４００を上段、中段および下段の三段構成に分けたうちの、上段における終わりの走査線のライン位置２０５に対応する液晶素子の応答動作が、応答タイミング４０１で示される。
【００４３】
また、有効表示領域４００を上段、中段および下段の三段構成に分けたうちの、中段における終わりの走査線のライン位置２０６に対応する液晶素子の応答動作が、応答タイミング４０２で示される。
【００４４】
また、有効表示領域４００を上段、中段および下段の三段構成に分けたうちの、下段における終わりの走査線のライン位置２０７に対応する液晶素子の応答動作が、応答タイミング４０３で示される。
【００４５】
そして、映像のボヤケが生じることを低減したい映像表示範囲が上段である場合、応答タイミング４０１に示される液晶素子の応答動作の完了に合わせて、バックライトが発光する。発光タイミング４０４は、バックライトの発光動作を示す。
【００４６】
同様に、映像のボヤケが生じることを低減したい映像表示範囲が中段である場合、応答タイミング４０２に示される液晶素子の応答動作の完了に合わせて、バックライトが発光する。発光タイミング４０５は、バックライトの発光動作を示す。
【００４７】
同様に、映像のボヤケが生じることを低減したい映像表示範囲が下段である場合、応答タイミング４０３に示される液晶素子の応答動作の完了に合わせて、バックライトが発光する。発光タイミング４０６は、バックライトの発光動作を示す。
【００４８】
以上のように、映像のボヤケが生じることを低減したい映像表示範囲の液晶素子の応答動作がすべて完了した後のタイミングでバックライトを発光させることによって、有効表示領域における、映像のボヤケが生じやすい特定の位置、文字またはテロップなどに、映像のボヤケが生じることを低減させることができる。
【００４９】
＜第２の動作＞
第２の動作では、第１の動作の場合と同様に、液晶パネルの上段、中段および下段の三段構成に分けたうちから、映像のボヤケが生じることを低減したい映像表示範囲であるボヤケ低減範囲を選択する。
【００５０】
ここで、ボヤケ低減範囲は、上段、中段および下段のそれぞれの範囲における、単位時間面積あたりの映像の変化量が最も大きい範囲、または、単位時間面積あたりの文字の数が最も多い範囲とする。
【００５１】
図１のメイン制御部１０５における映像信号解析部１０６は、入力される信号を解析することによって、上段、中段および下段のそれぞれの範囲における単位時間面積あたりの映像の変化量、または、単位時間面積あたりの文字の数を算出する。そして、映像信号解析部１０６は、単位時間面積あたりの映像の変化量が最も大きい、または、単位時間面積あたりの文字の数が最も多い上段、中段および下段のうちのいずれかの範囲を、ボヤケ低減範囲として検出する。
【００５２】
そして、当該解析結果に基づいて、タイミング処理部１０８は、検出されたボヤケ低減範囲における液晶素子の応答動作がすべて完了するタイミングでバックライト１１１が発光するタイミング信号を、発光制御部１１３へ送信する。
【００５３】
＜映像表示システムの動作について＞
図９は、本実施の形態に関する、映像表示システムの第２の動作の例を示すフローチャートである。図９においては特に、バックライトがインパルス発光制御される液晶表示装置において、ボヤケが生じることを低減したい映像表示範囲であるボヤケ低減範囲を自動的に特定する動作が示される。
【００５４】
まず、ステップＳＴ１において、図１の映像信号解析部１０６は、放送受信部１０４または映像信号入力部１０３から入力される映像信号を解析する。そして、映像信号解析部１０６は、入力された映像信号が、液晶パネルの上段、中段および下段のいずれの映像表示範囲に対応するかを特定する。
【００５５】
次に、ステップＳＴ２では、映像信号解析部１０６は、入力された映像信号に文字情報が含まれているか否かを映像表示範囲ごとに判定する。そして、対応する映像表示範囲の映像信号に文字情報が含まれている場合、すなわち、図９に例が示されるステップＳＴ２から分岐する「ＹＥＳ」に対応する場合には、ステップＳＴ５へ進む。一方で、入力された映像信号に文字情報が含まれていない場合、すなわち、図９に例が示されるステップＳＴ２から分岐する「ＮＯ」に対応する場合には、ステップＳＴ３へ進む。
【００５６】
ステップＳＴ３では、映像信号解析部１０６は、単位時間面積あたりの映像変化量を、映像表示範囲ごとに、すなわち、上段、中段および下段でそれぞれ算出する。ここで、映像変化量とは、状態が変化する液晶素子の数の総数に対応する。そして、ステップＳＴ４へ進む。
【００５７】
ステップＳＴ４では、映像信号解析部１０６は、単位時間面積あたりの映像変化量が大きい順に映像表示範囲を順序づける。そして、映像信号解析部１０６は、最も映像変化量の大きい映像表示範囲、すなわち、最も映像のボヤケが生じやすい映像表示範囲を特定する。
【００５８】
一方で、ステップＳＴ５では、映像信号解析部１０６は、文字情報を抽出する。具体的には、映像信号解析部１０６は、文字またはテロップの数、文字またはテロップが表示される位置などを含む文字領域の情報を抽出する。
【００５９】
そして、映像信号解析部１０６は、ステップＳＴ５において抽出された文字情報を解析する。そして、映像信号解析部１０６は、単位時間面積あたりの文字の数を、映像表示範囲ごとに算出する。そして、ステップＳＴ６へ進む。
【００６０】
ステップＳＴ６では、映像信号解析部１０６は、単位時間面積あたりの文字の数が多い順に映像表示範囲を順序づける。そして、映像信号解析部１０６は、最も文字の数が多い映像表示範囲、すなわち、最も映像のボヤケが生じやすい映像表示範囲を特定する。
【００６１】
次に、ステップＳＴ７では、映像信号解析部１０６は、ステップＳＴ４で特定された最も映像変化量の大きい映像表示範囲、または、ステップＳＴ６で特定された最も文字の数が多い映像表示範囲をボヤケ低減範囲として選択する。
【００６２】
次に、ステップＳＴ８では、映像信号処理部１０７は、ステップＳＴ３で得られた映像変化量の大きい映像の位置、または、ステップＳＴ５で得られた文字またはテロップが表示される位置に基づいて、これらが表示される位置に対応する液晶素子の制御タイミングと、バックライトの制御タイミングとを算出する。
【００６３】
具体的には、映像信号処理部１０７は、液晶パネルの制御を開始してから、ステップＳＴ３で得られた映像変化量の大きい映像の位置、または、ステップＳＴ５で得られた文字またはテロップが表示される位置の液晶素子の応答が完了するまでの時間を算出する。液晶素子の応答が完了するまでの時間は、当該位置における映像の映像変化量（当該映像が文字である場合を含む）に基づいて算出される。
【００６４】
次に、ステップＳＴ９では、タイミング処理部１０８は、ステップＳＴ８で算出された制御タイミングの情報を用いて、バックライトを発光させるタイミングに関するタイミング信号を生成する。また、映像出力部１０９は、ステップＳＴ８で算出された制御タイミングの情報を用いて、液晶素子の制御に関する制御信号を生成する。
【００６５】
ここで、ステップＳＴ２およびステップＳＴ５では、画像データから文字情報を読み取る技術が用いられる。このような、画像データから文字情報を読み取る技術は、たとえば、河合他「エッジ空間パターンを利用したテレビ番組映像からの字幕テキスト領域検出」（映像情報メディア学会誌ｖｏｌ．６９、Ｎｏ５，ｐｐ．Ｊ１９７−Ｊ２０６．２０１５年）に掲載された技術、堀他「テロップ認識のための映像からの文字抽出法」（情報処理学会研究報告コンピュータビジョンとイメージメディア、３（１９９８−ＣＶＩＭ−１１４），ｐｐ．１２９−１３６，１９９９年１月）に掲載された技術、および、森他「背景・文字列の形状特徴と動的修正識別関数を用いた映像中テロップ文字列認識」（電子情報通信学会論文詩、ｖｏｌ．Ｊ８３−Ｄ２，Ｎｏ．７，ｐｐ．１６５８−１６６６．２０００年７月）に掲載された技術を組み合わせて利用することによって実現することができる。
【００６６】
＜映像表示システムのハードウェア構成について＞
図１０および図１１は、図１に例示される映像表示システムを実際に運用する場合のハードウェア構成を概略的に例示する図である。
【００６７】
なお、図１０および図１１に例示されるハードウェア構成は、図１に例示される構成とは数などが整合しない場合があるが、これは図１に例示される構成が概念的な単位を示すものであることに起因する。
【００６８】
よって、少なくとも、図１に例示される１つの構成が、図１０および図１１に例示される複数のハードウェア構成から成る場合と、図１に例示される１つの構成が、図１０および図１１に例示されるハードウェア構成の一部に対応する場合と、さらには、図１に例示される複数の構成が、図１０および図１１に例示される１つのハードウェア構成に備えられる場合とが想定され得る。
【００６９】
また、図１０および図１１に例示されるハードウェア構成は、図１に例示される映像表示システムの概念的な構成を具体化して例示するものである。したがって、図１０および図１１に例示される映像表示システムの概念的な構成に対応するハードウェア構成に加えて、新たなハードウェア構成が追加される場合があるが、新たに追加されるそれらのハードウェア構成が備えられない場合であっても、本実施の形態に関する映像表示システムは成立し得る。
【００７０】
図１０では、図１中のメイン制御部１０５を実現するためのハードウェア構成として、演算を行う処理回路５０２Ａと、情報を記憶することができる記憶装置５０３とが示される。
【００７１】
図１１では、図１中のメイン制御部１０５を実現するためのハードウェア構成として、演算を行う処理回路５０２Ｂが示される。
【００７２】
記憶装置５０３は、たとえば、ハードディスクドライブ（Ｈａｒｄ  ｄｉｓｋ  ｄｒｉｖｅ、すなわちＨＤＤ）、ランダムアクセスメモリー（ｒａｎｄｏｍ  ａｃｃｅｓｓ  ｍｅｍｏｒｙ、すなわちＲＡＭ）、リードオンリーメモリー（ｒｅａｄ  ｏｎｌｙ  ｍｅｍｏｒｙ、すなわちＲＯＭ）、フラッシュメモリー、ｅｒａｓａｂｌｅ  ｐｒｏｇｒａｍｍａｂｌｅ  ｒｅａｄ  ｏｎｌｙ  ｍｅｍｏｒｙ（ＥＰＲＯＭ）およびｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ（ＥＥＰＲＯＭ）などの、揮発性または不揮発性の半導体メモリー、磁気ディスク、フレキシブルディスク、光ディスク、コンパクトディスク、ミニディスクまたはＤＶＤなどを含むメモリー（記憶媒体）、または、今後使用されるあらゆる記憶媒体であってもよい。
【００７３】
処理回路５０２Ａは、記憶装置５０３、外部のＣＤ−ＲＯＭ、外部のＤＶＤ−ＲＯＭ、または、外部のフラッシュメモリーなどに格納されたプログラムを実行するものであってもよい。すなわち、たとえば、ＣＰＵ、マイクロプロセッサ、マイクロコンピュータ、デジタルシグナルプロセッサ（ｄｉｇｉｔａｌ  ｓｉｇｎａｌ  ｐｒｏｃｅｓｓｏｒ、すなわちＤＳＰ）であってもよい。
【００７４】
処理回路５０２Ａが記憶装置５０３、外部のＣＤ−ＲＯＭ、外部のＤＶＤ−ＲＯＭ、または、外部のフラッシュメモリーなどに格納されたプログラムを実行するものである場合、メイン制御部１０５は、記憶装置５０３に格納されたプログラムが処理回路５０２Ａによって実行されるソフトウェア、ファームウェアまたはソフトウェアとファームウェアとの組み合わせにより実現される。なお、メイン制御部１０５の機能は、たとえば、複数の処理回路が連携することによって実現されてもよい。
【００７５】
ソフトウェアおよびファームウェアはプログラムとして記述され、記憶装置５０３に記憶されるものであってもよい。その場合、処理回路５０２Ａは、記憶装置５０３に格納されたプログラムを読み出して実行することによって、上記の機能を実現する。すなわち、記憶装置５０３は、処理回路５０２Ａに実行されることによって、上記の機能が結果的に実現されるプログラムを記憶するものであってもよい。
【００７６】
また、処理回路５０２Ｂは、専用のハードウェアであってもよい。すなわち、たとえば、単一回路、複合回路、プログラム化されたプロセッサ、並列プログラム化されたプロセッサ、集積回路（ａｐｐｌｉｃａｔｉｏｎ  ｓｐｅｃｉｆｉｃ  ｉｎｔｅｇｒａｔｅｄ  ｃｉｒｃｕｉｔ、すなわちＡＳＩＣ）、ｆｉｅｌｄ−ｐｒｏｇｒａｍｍａｂｌｅ  ｇａｔｅ  ａｒｒａｙ（ＦＰＧＡ）またはこれらを組み合わせた回路であってもよい。
【００７７】
処理回路５０２Ｂが専用のハードウェアである場合、メイン制御部１０５は、処理回路５０２Ｂが動作することにより実現される。なお、メイン制御部１０５の機能は、別々の回路で実現されてもよいし、単一の回路で実現されてもよい。
【００７８】
なお、メイン制御部１０５の機能は、一部が記憶装置５０３に格納されたプログラムを実行するものである処理回路５０２Ａにおいて実現され、一部が専用のハードウェアである処理回路５０２Ｂにおいて実現されてもよい。
【００７９】
＜以上に記載された実施の形態によって生じる効果について＞
次に、以上に記載された実施の形態によって生じる効果の例を示す。なお、以下の説明においては、以上に記載された実施の形態に例が示された具体的な構成に基づいて当該効果が記載されるが、同様の効果が生じる範囲で、本願明細書に例が示される他の具体的な構成と置き換えられてもよい。
【００８０】
以上に記載された実施の形態によれば、映像表示システムは、単一のバックライト１１１と、発光制御部１１３と、選択部とを備える。ここで、選択部は、たとえば、映像信号解析部１０６に対応するものである。バックライト１１１は、インパルス発光制御され、かつ、液晶パネル１１２に光を照射する。発光制御部１１３は、液晶パネル１１２の駆動タイミングに応じて、バックライト１１１を発光させる。映像信号解析部１０６は、液晶パネル１１２のうちの一部を、対象範囲として選択する。ここで、対象範囲は、たとえば、ボヤケ低減範囲２０２に対応するものである。そして、発光制御部１１３は、ボヤケ低減範囲２０２における液晶パネル１１２の駆動が完了するタイミングに応じて、バックライト１１１を発光させる。
【００８１】
また、以上に記載された実施の形態によれば、映像表示システムは、液晶パネル１１２に光を照射する単一のバックライト１１１を備える。また、映像表示システムは、プログラムを実行する処理回路５０２Ａと、実行されるプログラムを記憶する記憶装置５０３とを備える。そして、処理回路５０２Ａがプログラムを実行することによって、以下の動作が実現される。
【００８２】
すなわち、ボヤケ低減範囲２０２における液晶パネル１１２の駆動が完了するタイミングに応じて、バックライト１１１が発光する。
【００８３】
また、以上に記載された実施の形態によれば、映像表示システムは、液晶パネル１１２に光を照射する単一のバックライト１１１を備える。また、映像表示システムは、専用のハードウェアである処理回路５０２Ｂを備える。そして、専用のハードウェアである処理回路５０２Ｂは、以下の動作を行う。
【００８４】
すなわち、専用のハードウェアである処理回路５０２Ｂは、ボヤケ低減範囲２０２における液晶パネル１１２の駆動が完了するタイミングに応じて、バックライト１１１を発光させる。
【００８５】
このような構成によれば、単一のバックライトを備える場合であっても、液晶パネル１１２のうちの一部の範囲を選択して、当該範囲における液晶パネル１１２の駆動が完了するタイミングに応じてバックライト１１１を発光させることによって、映像のボヤケが生じることを低減させることができる。
【００８６】
なお、これらの構成以外の本願明細書に例が示される他の構成については適宜省略することができる。すなわち、少なくともこれらの構成を備えていれば、以上に記載された効果を生じさせることができる。
【００８７】
しかしながら、本願明細書に例が示される他の構成のうちの少なくとも１つを、以上に記載された構成に適宜追加した場合、すなわち、以上に記載された構成としては言及されなかった本願明細書に例が示される他の構成が適宜追加された場合であっても、同様の効果を生じさせることができる。
【００８８】
また、以上に記載された実施の形態によれば、映像表示システムは、液晶パネル１１２を複数の表示範囲に分割し、かつ、分割されたそれぞれの表示範囲における映像変化量を比較する第１の比較部を備える。ここで、第１の比較部は、たとえば、映像信号解析部１０６に対応するものである。映像信号解析部１０６は、映像変化量の比較の結果に基づいて、表示範囲のうちからボヤケ低減範囲２０２を選択する。このような構成によれば、映像のボヤケの生じやすい映像変化量の大きい表示範囲の液晶素子の応答完了のタイミングに合わせてバックライト１１１を発光させることによって、映像変化量の大きい表示範囲の映像のボヤケを効果的に抑制することができる。
【００８９】
また、以上に記載された実施の形態によれば、映像信号解析部１０６は、比較の結果、映像変化量が最も大きい表示範囲をボヤケ低減範囲２０２として選択する。このような構成によれば、映像変化量が最も大きい表示範囲の映像のボヤケを効果的に抑制することができる。
【００９０】
また、以上に記載された実施の形態によれば、映像表示システムは、液晶パネル１１２を複数の表示範囲に分割し、かつ、分割されたそれぞれの表示範囲における文字の数を比較する第２の比較部を備える。ここで、第２の比較部は、たとえば、映像信号解析部１０６に対応するものである。映像信号解析部１０６は、文字の数の比較の結果に基づいて、表示範囲のうちからボヤケ低減範囲２０２を選択する。このような構成によれば、映像のボヤケの生じやすい文字表示範囲の液晶素子の応答完了のタイミングに合わせてバックライト１１１を発光させることによって、文字表示範囲の映像のボヤケを効果的に抑制することができる。
【００９１】
また、以上に記載された実施の形態によれば、映像信号解析部１０６は、比較の結果、文字の数が最も多い表示範囲をボヤケ低減範囲２０２として選択する。このような構成によれば、文字数の最も多い表示範囲の映像のボヤケを効果的に抑制することができる。
【００９２】
＜以上に記載された実施の形態における変形例について＞
以上に記載された実施の形態では、それぞれの構成要素の寸法、形状、相対的配置関係または実施の条件などについても記載する場合があるが、これらはすべての局面においてひとつの例であって、本願明細書に記載されたものに限られることはないものとする。
【００９３】
したがって、例が示されていない無数の変形例、および、均等物が、本願明細書に開示される技術の範囲内において想定される。たとえば、少なくとも１つの構成要素を変形する場合、追加する場合または省略する場合が含まれるものとする。
【００９４】
また、矛盾が生じない限り、以上に記載された実施の形態において「１つ」備えられるものとして記載された構成要素は、「１つ以上」備えられていてもよいものとする。
【００９５】
さらに、以上に記載された実施の形態におけるそれぞれの構成要素は概念的な単位であって、本願明細書に開示される技術の範囲内には、１つの構成要素が複数の構造物から成る場合と、１つの構成要素がある構造物の一部に対応する場合と、さらには、複数の構成要素が１つの構造物に備えられる場合とを含むものとする。
【００９６】
また、以上に記載された実施の形態におけるそれぞれの構成要素には、同一の機能を発揮する限り、他の構造または形状を有する構造物が含まれるものとする。
【００９７】
また、本願明細書における説明は、本技術に関するすべての目的のために参照され、いずれも、従来技術であると認めるものではない。
【００９８】
また、以上に記載された実施の形態で記載されたそれぞれの構成要素は、ソフトウェアまたはファームウェアとしても、それと対応するハードウェアとしても想定され、その双方の概念において、それぞれの構成要素は「部」または「処理回路」などと称される。
【符号の説明】
【００９９】
１００  映像表示制御部、１０１  アンテナ、１０２  映像信号ソース、１０３  映像信号入力部、１０４  放送受信部、１０５  メイン制御部、１０６  映像信号解析部、１０７  映像信号処理部、１０８  タイミング処理部、１０９  映像出力部、１１０  映像表示装置、１１１  バックライト、１１２，２００  液晶パネル、１１３  発光制御部、１１４  液晶制御部、１１５  コントローラ、２０１，４００  有効表示領域、２０２  ボヤケ低減範囲、２０３  非選択範囲、２０４，２０５，２０６，２０７  ライン位置、３００Ａ，３００Ｂ  液晶素子、３０３  応答期間、３０５，３０６  タイミング、４０１，４０２，４０３  応答タイミング、４０４，４０５，４０６  発光タイミング、５０２Ａ，５０２Ｂ  処理回路、５０３  記憶装置。
【図１】
2019191352.tif 000003
【図２】
2019191352.tif 000004
【図３】
2019191352.tif 000005
【図４】
2019191352.tif 000006
【図５】
2019191352.tif 000007
【図６】
2019191352.tif 000008
【図７】
2019191352.tif 000009
【図８】
2019191352.tif 000010
【図９】
2019191352.tif 000011
【図１０】
2019191352.tif 000012
【図１１】
2019191352.tif 000013